(57)【要約】【課題】ＣＰＵをソケット・アセンブリに着脱自在に結合し、ソケット・アセンブリが、ロック位置あるいはロック解除位置にあるかをユーザに知らせる。【解決手段】  ＣＰＵを前記ソケット・アセンブリに着脱自在に結合するしるし付きアクチュエータ・アセンブリ（２００）は、ソケット・アセンブリに係合しソケット・アセンブリを開位置または閉位置に配置して、ＣＰＵを前記ソケット・アセンブリに結合、あるいは前記ソケット・アセンブリから分離する係合アセンブリと、ソケット・アセンブリが開位置または閉位置にあるかどうかを示すしるし部分（２０３）と、備える。【選択図】      図２
2004320028.tif 000002
【特許請求の範囲】
【請求項１】
ＣＰＵをソケット・アセンブリに着脱自在に結合するしるし付きアクチュエータ・アセンブリにおいて、
前記ＣＰＵを前記ソケット・アセンブリに結合、あるいは前記ソケット・アセンブリから分離するために、前記ソケット・アセンブリと係合して前記ソケット・アセンブリを開位置または閉位置に配置する係合アセンブリと、
前記ソケット・アセンブリが開位置または閉位置にあるかどうかを示すしるし部分と、
を備えたことを特徴とするアクチュエータ・アセンブリ。
【請求項２】
前記係合アセンブリが、ばね押しプランジャー、スリーブ、キャップ及び筒を備えることを特徴とする請求項１に記載のアクチュエータ・アセンブリ。
【請求項３】
前記ばね押しプランジャーが、前記スリーブと組み合わさって、前記ばね押しプランジャーを自動的に前記ソケット・アセンブリの中心に合わせる卵形の要素を備えることを特徴とする請求項２に記載のアクチュエータ・アセンブリ。
【請求項４】
前記ばね押しプランジャーが、前記ばね押しプランジャーを前記ソケット・アセンブリと係合させるための面取りされた端部を備えることを特徴とする請求項２に記載のアクチュエータ・アセンブリ。
【請求項５】
前記しるし部分を９０度移動することができ、前記係合アセンブリ上のロックを示す絵文字とロック解除を示す絵文字を見えるようにする窓が、前記筒に画成されていることを特徴とする請求項２に記載のアクチュエータ・アセンブリ。
【請求項６】
前記しるし部分が旗片であること特徴とする請求項１に記載のしるし付きアクチュエータ・アセンブリ。
【請求項７】
前記ソケット・アセンブリが、固定型のソケット・アセンブリであることを特徴とする請求項１に記載のしるし付きアクチュエータ・アセンブリ。
【請求項８】
前記ソケット・アセンブリが、摺動可能型のソケット・アセンブリであることを特徴とする請求項１に記載のしるし付きアクチュエータ・アセンブリ。
【請求項９】
ＣＰＵと、ヒートシンクと、前記ＣＰＵをソケット・アセンブリに着脱自在に結合するしるし付きアクチュエータ・アセンブリとを備えるアセンブリにおいて、
前記ソケット・アセンブリと係合して前記ソケット・アセンブリを開位置または閉位置に配置し、前記ＣＰＵを前記ソケット・アセンブリに結合、あるいは前記ソケット・アセンブリから分離する係合アセンブリと、
前記ソケット・アセンブリが開位置または閉位置にあるかどうかを示すしるし部分と、
を備えたことを特徴とするアセンブリ。
【請求項１０】
ＣＰＵをソケット・アセンブリに着脱自在に結合する方法において、
前記ＣＰＵを前記ソケット・アセンブリに着脱自在に結合するしるし付きアクチュエータ・アセンブリであって、前記ソケット・アセンブリと係合して前記ソケット・アセンブリを開位置または閉位置に配置し、前記ＣＰＵを前記ソケット・アセンブリに結合、あるいは前記ソケット・アセンブリから分離する係合アセンブリと、前記ソケット・アセンブリが開位置または閉位置にあるかどうかを示すしるし部分と、を備えたアクチュエータ・アセンブリを設けることと、
前記ＣＰＵを前記ソケット・アセンブリに結合するために前記しるし付きアクチュエータ・アセンブリを用いることと、
を含むことを特徴とする方法。
【発明の詳細な説明】
【技術分野】
【０００１】
本発明は、中央演算処理装置（ＣＰＵ）をソケット・アセンブリに着脱自在に結合するしるし付きアクチュエータ・アセンブリに関する。
【背景技術】
【０００２】
マイクロコンピュータの構成要素は、設計により、互いに着脱自在に結合されることが多い。したがって、図１に関しては、ヒートシンク１０１を含むマイクロプロセッサ・ボード・アセンブリ１００は、ＣＰＵ（図には示されてない）と着脱自在に結合され、また、ＣＰＵは、ソケット・アセンブリ（これも、図には示されてない）と着脱自在に結合される。この場合、上記のように結合されたものは、ヒートシンク・クランプ１０７およびヒートシンク取付けねじ１０６によって、着脱自在にボード１０２に結合される。ＣＰＵとヒートシンクが外されているソケット・アセンブリ１０３が図に示されている。
【０００３】
操作の際は、図１を参照すると、係合アセンブリ（図示されてない）は、一方の位置において、ソケット要素１０４に係合し、ソケット要素１０４を回転させると、ソケット・アセンブリ１０３を閉じて、ソケット・アセンブリ１０３をＣＰＵに結合する。同様に、この係合アセンブリは、反対の位置において、ソケット要素１０４に係合して、ソケット要素１０４を回転させると、ソケット・アセンブリ１０３を開いて、ソケット・アセンブリ１０３をＣＰＵから分離する。
【０００４】
図１をみればわかるように、ヒートシンク１０１をＣＰＵに結合し、そのユニットをボード１０２上に取り付けると、ソケット要素１０４へのアクセスが妨げられる。さらに、ソケット・アセンブリ１０３が開位置または閉位置にあるかどうかを視覚的に判定することも困難となる。
【０００５】
ヒートシンク１０１をＣＰＵに結合し、かつそのユニットをソケット・アセンブリ１０３上に取り付けるときに、ソケット要素１０４へのアクセスを改善する従来技術の手法は、ヒートシンク１０１に凹穴１０５を切削により形成することである。凹穴１０５の中にツールを差し込めば、ソケット要素１０４を回転させて、ソケット・アセンブリ１０３を、ＣＰＵに対して、開位置か閉位置のいずれかに配置することができる。
【０００６】
凹穴１０５の解決策の問題は、係合ソケット要素１０４にアクセスして、回転させることができるとはいえ、ヒートシンク１０１の穴１０５を見下ろすことは困難であるので、ソケット・アセンブリ１０３が開位置にあるか、閉位置にあるかどうかを視覚的に判定することはなお容易ではないことである。したがって、ソケット・アセンブリ１０３からＣＰＵを分離しようとするがソケット・アセンブリ１０３の位置を見ようとしないユーザは、ねじ１０６が、ヒートシンク・クランプ１０７とともに、ＣＰＵをソケット・アセンブリ１０３に結合する唯一の部品であると誤認し、誤って見やすいヒートシンクねじ１０６だけを外してＣＰＵを外そうとすることもある。その結果、実際、ソケット・アセンブリ１０３が、ＣＰＵに対してロック位置にある場合に、ユーザがソケット・アセンブリ１０３をロック解除しないでＣＰＵを引き抜くと、ＣＰＵ、ソケット・アセンブリ１０３、ソケット要素１０４に損傷を及ぼすことになる。
【０００７】
ヒートシンク１０１をＣＰＵに結合し、そのユニットをソケット・アセンブリ１０３上に取り付けるときに、ソケット要素１０４にアクセスするための従来技術の代替解決策は、ボード１０２にロー・プロファイル（薄型）の保持機構（図示されてない）を付けることである。この解決策では、小さい旗片（図示されてない）をソケット・アセンブリ１０３上に付けて、ソケット要素１０４の回転時に、この旗片が、ソケット・アセンブリ１０３の最上部の上で回転して、ソケット・アセンブリ１０３が、開位置か、閉位置のいずれかであることをユーザに知らせるようにしている。
【０００８】
ロー・プロファイル保持機構の解決策の問題は、この旗片がソケット・アセンブリ１０３に付けられるから、ヒートシンク１０１とＣＰＵをソケット要素１０４上に取り付けると、この旗片を見ることが、なお困難であることである。この解決策の別の問題は、ロー・プロファイル保持機構を、ボード１０２上で機械加工または鋳造する必要があるから、このような解決策は費用がかかることである。さらに他の問題は、このロー・プロファイル保持機構が、様々なソケット・アセンブリ１０３には使用できないという点で制限を受けることである。
【発明の開示】
【発明が解決しようとする課題】
【０００９】
よって、ボード１０２上で、ＣＰＵをソケット・アセンブリ１０３に着脱自在に結合するより良い解決策が必要である。また、ソケット・アセンブリ１０３が、ロック位置、ロック解除位置にあるかどうかに関して、ユーザに知らせるよりよい解決策も必要である。さらに、様々なソケット・アセンブリ１０３に対してうまく動作するような解決策も必要である。本発明は、このような要求に対して、新規な解決策を提供する。
【課題を解決するための手段】
【００１０】
ＣＰＵをソケット・アセンブリに着脱自在に結合するしるし付きアクチュエータ・アセンブリは、ソケット・アセンブリを開位置または閉位置に配置して、ＣＰＵを上記ソケット・アセンブリに結合、あるいは上記ソケット・アセンブリから分離するのに用いられる係合アセンブリと、上記ソケット・アセンブリが開位置にあるか、閉位置にあるかどうかを示すしるし部分とを含む。
【００１１】
本発明の上記および他の技術的な利点は、様々な図面とともに、好ましい実施形態の下記の詳細な説明を読めば、多分、通常の当業者には明らかになろう。
【発明を実施するための最良の形態】
【００１２】
次に、図１〜図５の添付図面に例示されている本発明の実施形態を詳しく参照する。参照される図面は、特記する場合を除き、定尺で描かれているものと解してはならない。本発明は、これらの実施形態とともに述べられているが、本発明は、これらの実施形態には限定されないものとする。それどころか、本発明は、併記の特許請求の範囲により定義される本発明の精神および範囲内に含まれる代替例、変更例、および、それらと同等な例をカバーすることになっている。さらに、本発明の以下の説明では、本発明を完全に理解するために、多数の特定の詳細が記述されている。しかしながら、本発明は、これらの特定の詳細の一部を用いなくとも実施できることが、通常の当業者には理解されよう。他の場合に、本発明の複数の面を不必要にわかりにくくするのを避けるために、公知の方法、手順、構成要素、回路を詳述することは必要でないと了解されよう。
【００１３】
本発明の実施形態は、プロセッサボード・アセンブリ上のソケット・アセンブリにＣＰＵを結合し、また、このソケット・アセンブリからＣＰＵを分離するに充分適している。しかしながら、本発明の実施形態は、このような用途に限定されず、構成要素に近づきにくく、かつ構成要素が見えにくい他の場合にも、これらの実施形態が使用できるものと考えられる。
【００１４】
本発明の一実施形態は、マイクロプロセッサ・ボード・アセンブリ１００上のソケット要素１０４を介して、ソケット・アセンブリ１０３にＣＰＵアセンブリを結合し、また、ソケット・アセンブリ１０３からＣＰＵアセンブリを分離するのに使用できる、しるし付きアクチュエータ２００、３００を含む。このしるし付きアクチュエータ２００、３００の実施形態は、例として示すソケット・アセンブリ１０３の他、様々なソケットに使用できることに留意されたい。
【００１５】
図１〜図４に関して、しるし付きアクチュエータ２００、３００は、ソケット・アセンブリ１０３に係合してソケット・アセンブリ１０３を開位置または閉位置に配置して、ＣＰＵをソケット・アセンブリ１０３に結合するか、ＣＰＵをソケット・アセンブリ１０３から分離する係合アセンブリと、ソケット・アセンブリ１０３が開位置または閉位置にあるかどうかを示すしるし部分２０３、３０３とを含む。
【００１６】
この係合アセンブリは、ばね押しプランジャー２０１、３０１、キャップ２０２、３０２、スリーブ２０４、３０４を含む。ばね押しプランジャー２０１、３０１、キャップ２０２、３０２、スリーブ２０４、３０４はすべて、筒２０５、３０５に収容されていて、一体として協働してソケット要素１０４に係合することで、ソケット・アセンブリ１０３を開閉する。しるし部分２０３、３０３は、一実施形態では、ばね押しプランジャー２０１、３０１に対して垂直な平面内で回転するように、ばね押しプランジャー２０１、３０１上に、周方向に摺動自在に取り付けられた旗片２０３、３０３で構成される。
【００１７】
ばね押しプランジャー２０１、３０１を用いて、ソケット要素１０４に係合して、ソケット要素１０４を回転させることで、ソケット・アセンブリ１０３を開閉すると、旗片２０３、３０３は、ばね押しプランジャー２０１、３０１の軸を中心として、約９０度までの範囲で、ばね押しプランジャー２０１、３０１とともに回転する。しかしながら、ソケット要素１０４を回転させると、開位置と閉位置との間で、全体で１８０度、回転することに留意されたい。キャップ２０２、３０２は、旗片２０３、３０３を、９０度しか移動させないように形づくられた開口３０９を下端部に画成しているが、一方、このキャップとプランジャーは、１８０度、回転する。これは、開口３０９と、筒２０５、３０５により画成された窓２０６の側縁との間に、旗片２０３、３０３を閉じ込めているために、実現される。一方の位置（例えば、０度の位置）では、旗片２０３、３０３は、ソケット要素１０４が閉位置にあることをユーザに警告するが、一方、他方の位置（例えば、９０度の位置）では、旗片２０３、３０３は、ソケット要素１０４が開位置にあることをユーザに警告する。さらに、９０度の位置にある旗片２０３、３０３は、ボード１０２上にヒートシンク１０１を固定するヒート・クランプ１０７の取付けを妨げる。
【００１８】
こうして、本発明のしるし付きアクチュエータを用いることで、ソケット要素１０４の位置がユーザに知らされることになり、したがって、ユーザが、従来技術のように、ソケット要素１０４からＣＰＵを外そうとして、誤ってＣＰＵ、ソケット・アセンブリ１０３、ソケット要素１０４を損傷させるようなことは起こりにくくなる。
【００１９】
以下のものは、一実施形態におけるしるし付きアクチュエータ・アセンブリ２００、３００を含む要素を説明したものである。この説明の後で、ソケット・アセンブリ１０３と、ソケット・アセンブリ１０３をＣＰＵに結合し、また、ソケット・アセンブリ１０３からＣＰＵを分離するソケット要素１０４ととともに、実施形態２００、３００の働きを説明する。
【００２０】
図１〜図４を参照すると、本発明のしるし付きアクチュエータの一実施形態は、ソケット・アセンブリに係合してソケット・アセンブリを開位置または閉位置に配置し、上記ＣＰＵをソケット・アセンブリに結合するか、ソケット・アセンブリから分離する係合アセンブリ２００、３００と、このソケット・アセンブリが開位置または閉位置にあるかどうかを示すしるし部分２０３、３０３とを含む。
【００２１】
この係合アセンブリは、ばね押しプランジャー２０１、３０１、キャップ２０２、３０２、スリーブ２０４、３０４を含む。ばね押しプランジャー２０１、３０１、キャップ２０２、３０２、スリーブ２０４、３０４はすべて、筒２０５、３０５に収容されていて、協働ユニットを形成し、ソケット要素１０４に係合することで、ソケット・アセンブリ１０３を開閉する。
【００２２】
ばね押しプランジャー２０１、３０１は、プランジャー２０１、３０１（軸）、ばね３０６、および、軸２０１、３０１上に設けられた卵形(oval)の要素３０７を含む。
【００２３】
軸２０１、３０１は、六角形の放射状断面を含む。軸の上部３０８は、キャップの下端部の凹部（図示されてない）に出入りすることで、キャップ３０２に係合したり、離れたりするように設計されている。軸２０１、３０１の中央部分には、軸２０１、３０１をばねで押し付けるために、軸２０１、３０１上に付けられたばね３０６がある。さらに、軸の中央部分には、スリーブ３０４中の同様な機構に係合する卵形のユニット３０７もある。軸２０１、３０１の下部は、しるし付きアクチュエータ２００、３００を、取付け面に、例えばヒートシンク・アセブリ４０１の側部に取り付けたときに、ソケット要素１０４と係合するように、面取りされている。プランジャー２０１、３０１の下端の面取りされた部分は、回転するソケット要素１０４の位置が異なる様々なソケットに合わせられるようにし、したがって、しるし付きアクチュエータ２００、３００の一実施形態が、例として示すソケット・アセンブリ１０３の他、様々なソケットで機能できるようにすることに留意されたい。
【００２４】
ばね３０６は、ばね押しプランジャー２０１、３０１を、キャップ２０２、３０２の下端部の凹部に押し入れるために、ばね押しプランジャー２０１、３０１の中央部の周りに同軸上に取り付けられたコイルばねである。
【００２５】
卵形の要素３０７は、ばね３０６の下で、ばね押しプランジャー２０１、３０１上に同軸的に設けられる。卵形の要素３０７は、ばね３０６を支え、また、スリーブ３０４との係合により、ばね押しプランジャー２０１、３０１の向きを揃えて、ばね押しプランジャー２０１、３０１をソケット要素１０４に差し込むのに役立つ。プランジャー２０１、３０１上の卵形の要素３０７の外部寸法は、プランジャー２０１、３０１が側方へ、約０．７ｍｍ移動できるようにする大きさだけ、筒２０５、３０５の内径よりも小さくなっている。
【００２６】
ＣＰＵのヒートシンク・アセンブリをソケット・アセンブリ１０３に取り付けると、卵形の要素３０７は、スリーブ２０４、３０４の同様の対応する卵形の表面から動作可能に離れて、ばね押しプランジャー２０１、３０１が回転できるようにし、そのとき、プランジャー２０１、３０１の面取りされた部分がソケット要素１０４に差し込まれて、ソケット要素１０４を開閉する。
【００２７】
ＣＰＵのヒートシンク・アセンブリをソケット１０３から分離すると、卵形の要素３０７は、もとの位置に戻って、スリーブ２０４、３０４の同様の対応する卵形表面に係合する。
【００２８】
キャップ２０２、３０２は、ばね押しプランジャー２０１、３０１の上端部の上に同軸上に配置されている。キャップ２０２、３０２は、上端部、段部、下端部、側壁面部から構成される。
【００２９】
キャップ２０２、３０２の上端部は、中にトルクスＴ１５の凹部を画成して、同軸上に標準トルクスＴ１５工具を係合し、また、ばね押しプランジャー２０１、３０１を回転させて、ソケット要素１０４への係合によりソケット・アセンブリ１０３を開閉する。キャップ２０２、３０２がトルクスＴ１５の凹部を持つ利点は、コンピュータ内の他の締め具も、同一の凹部を持つことであり、その結果、サービス要員は、２つ以上のねじ回しを使用する必要はない。
【００３０】
キャップ２０２、３０２の段部は、筒２０５、３０５と組み合わされ、キャップ２０２、３０２の上端部が、筒２０５、３０５に画成された開口を通って突出できるようにしている。
【００３１】
キャップ２０２、３０２の下端部は、中に六角形断面の凹部を画成して、ばね押しプランジャー２０１、３０１の上端部に同軸的に係合し、また、ばね押しプランジャー２０１、３０１を回転させて、ソケット要素１０４への係合によりソケット・アセンブリ１０３を開閉する。
【００３２】
キャップ２０２、３０２の側壁面部は、キャップ２０２、３０２上の下端縁部分に開口３０９を画成して、ばね押しプランジャー２０１、３０１上に取り付けられたしるし部分３０３（例えば、旗片３０３）が、ソケット・アセンブリ１０３の開位置と閉位置との間で、９０度まで移動できるようにしている。他の使用できるしるしには、筒２０５、３０５の側面の窓２０６から見ることのできる絵文字、もしくはそれと同等なものがある。
【００３３】
スリーブ２０４、３０４は、ばね押しプランジャー２０１、３０１の下端部分の周りに設けられる要素である。スリーブ２０４、３０４は、ばね押しプランジャー２０１、３０１を受け入れ、また、ばね押しプランジャー２０１、３０１がソケット要素１０４に差し込まれる際に、ばね押しプランジャー２０１、３０１上の同一の卵形の要素３０７と係合するように、スリーブ２０４、３０４の内径によって画成された卵形の要素を含む。このアクチュエータ２００、３００の実施形態は、ソケット・アセンブリ１０３のうち、ＣＰＵピン（図示されてない）と合わされる接点と、この回転するソケット要素１０４との間隔が０．７ｍｍ以下だけ変わるソケット・アセンブリ１０３を含む様々なソケット・アセンブリ１０３に使用できることに留意されたい。最初にＣＰＵヒートシンク・アセンブリ１０１をソケット・アセンブリ１０３上に合わせるときには、旗片２０３、３０３の向きを、一方の位置、または他方の位置に保つためだけでなく、プランジャー２０１、３０１を、いつでも取付けできる位置に保つためにも、スリーブ３０４の卵形と、プランジャー２０１、３０１の卵形要素の機構３０７があることに留意されたい。スリーブ３０４の上記の卵形の長穴は、向きのために利用されるだけでなく、ソケットを開閉するときに、プランジャー２０１、３０１が、この長穴の中を側方へ移動できるようにしている。スリーブ２０４、３０４はまた、スリーブ２０４、３０４を、筒２０５、３０５の側壁面のマッチング（整合）切欠きを経て、取付け面４０１に係合する切欠き３１０（スリーブ２０４、３０４の側壁面に画成されるもの）も含む。
【００３４】
筒２０５、３０５は、ばね押しプランジャー２０１、３０１の周りに同軸上に設けられものであって、キャップ２０２、３０２、ばね押しプランジャー２０１、３０１、ばね３０６、しるし部分３０３（例えば、旗片）、スリーブ２０４、３０４を収容している。筒２０５、３０５は、上側壁面部分と側壁面部分から構成される。側壁面部分は、キャップ２０２、３０２上のロックを示す絵文字とロック解除を示す絵文字を見るために、窓２０６、３１１を画成しており、その窓を通して、旗片２０３、３０３が突出して、ソケット・アセンブリ１０３の位置を特定する。筒２０５、３０５はまた、アクチュエータ・アセンブリ２００、３００を取付け面に取り付けるために、スリーブ２０４、３０４の側壁面の切欠き３１０に対応する切欠き２０４も含む。取付け面は、ヒートシンク１０１上の表面４０１を含む。
【００３５】
筒２０５、３０５の上端部は、キャップ２０２、３０２の上端部が突き抜ける開口を画成している。したがって、ばね押しプランジャー２０１、３０１が、ソケット要素１０４に係合し、かつ、ばね３０６が押し縮められると、ばね押しプランジャー２０１、３０１は、上方にキャップ２０２、３０２に入り込んで、キャップ２０２、３０２と係合する。この位置では、キャップ２０２、３０２が回転すると、ばね押しプランジャー２０１、３０１も回転することになる。
【００３６】
ばね３０６の上部とキャップ２０２、３０２との間で、ばね押しプランジャー２０１、３０１上にしるし部分３０３（例えば、旗片）が半径方向に取り付けられている。旗片３０３は、ソケット・アセンブリ１０３が開位置か、閉位置のいずれかにあるかどうかを示すためのものである。一方の位置（すなわち、旗片３０３が、ばね押しプランジャー２０１、３０１から遠ざかるとき）では、ソケット・アセンブリ１０３が開かれ、また、他方の位置（すなわち、旗片３０３が、反対方向に９０度だけ、ばね押しプランジャー２０１、３０１に向かうとき）では、ばね押しプランジャー２０１、３０１に向かって、ソケット・アセンブリ１０３が閉じられる。
【００３７】
上述のすべての構成要素は、ロール・ピン（図示されてない）でヒートシンク４０１に取付けできる筒２０５、３０５に収容されている。
【００３８】
このアセンブリは、次のような働きをする。ばね押しプランジャー２０１、３０１が、ソケット要素１０４に係合すると、ばね３０６は、押し縮められ、それにより、ばね押しプランジャー２０１、３０１が、上方にキャップ２０２、３０２に入り込む。そのとき、ばね押しプランジャー２０１、３０１上の卵形の要素３０７が、スリーブ２０４、３０４の同様の対応する卵形の機構から離れ、そこで、キャップ２０２、３０２を回転させると、ばね押しプランジャー２０１、３０１は自由に回転できる。したがって、ばね押しプランジャーが、ソケット要素１０４で押し縮められ、かつ回転すると、その回転は、開位置から閉位置へのソケット・アセンブリ１０３の側方運動に変えられ、逆も同様である。
【００３９】
図５の方法により、本発明のしるし付きアクチュエータ・アセンブリを利用すれば、上述のようにしるし付きアクチュエータ・アセンブリ２００、３００を提供し、さらに上に示されるようにソケット・アセンブリ１０３を操作して、ボード１０２上で、ソケット・アセンブリ１０３にＣＰＵを結合するか、あるいは、ソケット・アセンブリ１０３からＣＰＵを分離することで、ＣＰＵをソケット・アセンブリに着脱自在に結合することができる。
【００４０】
本発明の実施形態、並びに、誤ってＣＰＵ、ソケット・アセンブリ、またはソケット要素に損傷を起こすことなく、ソケット・アセンブリ１０３を模範例とするボード上の様々なソケット・アセンブリにＣＰＵを結合し、かつ／または、それらのソケット・アセンブリからＣＰＵを分離するために、どのように本発明を使用できるのかについて説明した。
【００４１】
この現在請求されている発明の利点は、しるし部分、例えば窓の旗片または絵文字がすぐ見えるから、ソケット・アセンブリからＣＰＵを分離するが、ソケット・アセンブリの位置を見ようとしないユーザは、窓の見やすい旗片または絵文字の位置に頼って、このソケット・アセンブリが、開位置または閉位置にあるかどうかを判定できることが理解されよう。その結果、実際、ソケット・アセンブリが、ＣＰＵに対してロック位置にある場合には、ユーザは、最初に、このソケット・アセンブリをロック解除した後で、ＣＰＵアセンブリを引き抜く必要があることに気づくであろう。
【００４２】
さらに、開位置にある旗片は、ヒートシンク・クランプの取付けまたは除去を妨げるから、ＣＰＵ／ヒートシンク・ユニットをソケット・アセンブリに結合しようとするときに、このソケット・アセンブリの位置をユーザに知らせることになる（従来技術と比較して）。
【００４３】
本発明は、特定の実施形態において述べられてきたが、本発明は、このような実施形態により限定されると見なされてはならず、もっと適切に言えば、併記の特許請求の範囲によるものと見なされるべきである。
【図面の簡単な説明】
【００４４】
【図１】構成要素が積み重ねられたＣＰＵボード・アセンブリの図である。
【図２】本発明の一実施形態によるしるし付きアクチュエータ・アセンブリの図である。
【図３】本発明の一実施形態によるしるし付きアクチュエータ・アセンブリの分解図である。
【図４】ヒートシンク・アセンブリに着脱自在に取り付けられる、本発明の一実施形態によるしるし付きアクチュエータ・アセンブリの図である。
【図５】ＣＰＵをソケット・アセンブリに着脱自在に結合する、本発明の一実施形態によるしるし付きアクチュエータを使用する方法である。
【符号の説明】
【００４５】
１０３  ソケット・アセンブリ
２００、３００  しるし付きアクチュエータ・アセンブリ
２０１、３０１  ばね押しプランジャー
２０２、３０２  キャップ
２０３、３０３  しるし部分、旗片
２０４、３０４  スリーブ
２０５、３０５  筒
２０６  窓
３０７  卵形の要素
【図１】
2004320028.tif 000003
【図２】
2004320028.tif 000004
【図３】
2004320028.tif 000005
【図４】
2004320028.tif 000006
【図５】
2004320028.tif 000007